Podtech/llm-jp-corpus-v4-ja_patent huggingface dataset:
(57)【要約】【課題】  吸湿性に富んだ素材を円筒にし、両端に伸縮性を施した頭髪乾燥用タオルャップを提供する。【解決手段】  吸湿性に富んだ素材を円筒にし、上部に巾着袋の要領で、左右から輪にした紐を１本ずつ通して引き縮め、下部には脱落防止の伸縮ゴムを通すことにより帽子型にしたことを特徴とする頭髪乾燥用タオルキャップである。【選択図】図１
2010119816.tif 000002
【特許請求の範囲】
【請求項１】
吸湿性に富んだ素材を円筒にし、上部に巾着袋の要領で、左右から輪にした紐を１本ずつ通して引き縮め、下部には脱落防止の伸縮ゴムを通すことにより帽子型にしたことを特徴にする頭髪乾燥用タオルキャップ。
【発明の詳細な説明】
【技術分野】
【０００１】  本発明は、吸湿性に富んだ素材を円筒にし、両端に伸縮性を施した頭髪乾燥用タオルキャップに関するものである。
【背景技術】
【０００２】  従来、乾燥促進の目的で頭髪全体を覆うためにタオルを巻きつけたり、帽子型のタオルがあった。
【発明の開示】
【発明が解決しようとする課題】
【０００３】  これらには、次のような問題点があった。
（イ）頭髪全体を解けないようにタオルで覆うことは大変困難であった。
（ロ）長髪の幼い子供が１人で簡単に被れる帽子型のタオルがなかった。
本発明は、以上のような問題点を解決するためのものである。
【課題を解決するための手段】
【０００４】  吸湿性に富んだ素材を円筒にし、上部に巾着袋の要領で、左右から輪にした紐を１本ずつ通して引き縮め、下部には脱落防止の伸縮ゴムを通すことにより帽子型にする。
本発明は、以上を特徴とする頭髪乾燥用タオルキャップである。
【発明の効果】
【０００５】  先に円筒を首の付け根でたぐり寄せるように被り、下から引き上げることで、頭髪を根元から頭頂部に向けて一度に持ち上げられるため、頭髪全体を円筒内部に簡単かつ手早く納めることができる。幼い子供でも１人で被ることが可能である。
【発明を実施するための最良の形態】
【０００６】  以下、本発明を実施するための最良の形態について説明する。
（イ）吸湿性に富んだ素材を円筒（１）にし、両端を紐等が通せるようにトンネル状にする。
（ロ）円筒（１）の上部に巾着袋の要領で、左右から輪にした紐Ａ（２）と紐Ｂ（３）を通し、下部に伸縮ゴムを通す。
また、円筒（１）の素材が頭部サイズに適応するほど伸縮する素材の場合は伸縮ゴム（４）を施さなくてもよい。紐Ａ（２）および紐Ｂ（３）は、どちらか１本にすると扱いにくくなるが同様に構成できる。
本発明は、以上のような構成よりなっている。
これを使用するときは、紐Ａ（２）および紐Ｂ（３）を最大に緩めた状態で、伸縮ゴム（４）を下にして首の付け根でたぐり寄せるように被り、長髪の場合は毛先を円筒（１）の上に載るように指で引き出す。次に円筒（１）の上部を持ち、伸縮ゴム（４）が前髪の生え際付近になるまで引っ張り上げる。頭髪全体が円筒（１）の中に覆われたのを確認して、紐Ａ（２）と紐Ｂ（３）に各々指を掛け、左右に引き縮めて、後ろ等に倒す。
【図面の簡単な説明】
【０００７】
【図１】本発明の装着中を示す斜視図
【図２】本発明の装着前を示す斜視図
【図３】本発明の平面図
【符号の説明】
【０００８】１  円筒
２  紐Ａ
３  紐Ｂ
４  伸縮ゴム
【図１】
2010119816.tif 000003
【図２】
2010119816.tif 000004
【図３】
2010119816.tif 000005
(57)【要約】【課題】入浴用のヘアバンドでありながら高齢者や力の足りない人にも背中が洗えるようにしたボディータオル兼用ヘアバンドを提供する。【解決手段】伸縮性を持つ帯筒体であり頭囲に二連以上巻いてフィットする周長があり輪の両側を引っ張って浴用タオルと同等の長さを確保したことを特徴とするボディータオル兼用ヘアバンド。【選択図】図２
2010119815.tif 000002
【特許請求の範囲】
【請求項１】
伸縮性を持つ帯筒体であり頭囲に二連以上巻いてフィットする周長があり輪の両側を引っ張って浴用タオルと同等の長さを確保したことを特徴とするボディータオル兼用ヘアバンド
【発明の詳細な説明】
【技術分野】
【０００１】  本発明は、入浴中に使用する伸縮する帯筒状のヘアバンドでありながら輪の両側を引っ張って洗浄タオルとして使用できるようにしたボディータオル兼用ヘアバンドに関するものである。
【背景技術】
【０００２】  単体としての浴室用ヘアバンドやマッサージ機能をもたせた持ち手付帯状ボディータオ  ルはあるが、ヘアバンドがボディータオルを兼ねているものはなかった。
【発明の開示】
【発明が解決しようとする課題】
【０００３】  そのために、次のような問題点があった。
（イ）  浴室にヘアバンドとボディータオルを個々に持参する必要があり、そのために特にヘアバンドを忘れることが多く、公衆浴場などでは洗髪後の髪をまとめる為にタオルで代用していたが抜け落ちることが多かった。
（ロ）  高齢者や腕や握力の無い人は通常のボディータオルは握りにくくタオルの端が滑り落ちるなど不便なことが多かった。
本発明は、これらの問題点を解決するためになされたものである。
【課題を解決するための手段】
【０００４】  伸縮性を持つ帯筒体であり頭囲に二連以上巻いてフィットする周長があり輪の両側を手に引っ掛けて浴用タオルと同等に使用できる長さを確保できて背中を洗浄出来るようにする。以上を特徴とするボディータオル兼用ヘアバンド
【発明の効果】
【０００５】  ボディータオルを兼ねているので大衆浴場に持参しやすく浴槽内のマナーにも役に立つ。伸縮生地の引っ張り圧を利用して手に引っ掛けて使用できるので、高齢者や腕や手首に力の無い人でも無理な体型をとる必要がなく利き手だけでも背中の洗浄ができる。
二重になったタオルはねじって従来のように出来るだけでなく分けて二本として動かせるので融通性のきく使い方が出来る。
使い勝手や好みによって引き伸ばしたタオルの長さや伸縮率を変えることによりヘアバンドの二連巻きと三連巻き用に出来るので浴室外でもオシャレな使い方ができる。
【発明を実施するための最良の形態】
【０００６】  以下、本発明の実施の形態について説明する。
（イ）ヘアバンド本体（１）は二連巻き若しくは三連巻きで平均的頭囲にフィットする伸  縮性と周長をもち、その両側を引っ張って従来型ボディータオルと同等に使用できる長  さとし、幅はタオルのおよそ半分とし吸水性のある材質にする。
（イ）タオルの仕様にした時の使い勝手の長さと伸縮率によってヘアバンドの二連か三連  かを決めるようにする。
本発明は以上のような構成で、図１のような筒状にしたヘアバンド本体（１）を図２のようにヘアバンド使用（２）やボディータオル使用（３）のように使い分けて使用する。
【図面の簡単な説明】
【０００７】
【図１】  本発明の全体斜視図
【図２】  本発明の使用時の姿図
【符号の説明】
【０００８】  １  ヘアバンド本体
２  ヘアバンド使用
３  ボディータオル使用
【図１】
2010119815.tif 000003
【図２】
2010119815.tif 000004
(57)【要約】      （修正有）【課題】シンクの底面に載置して、シンク用小物の収納棚とまな板等の載置台を兼用できる支持具を提供する。【解決手段】スポンジ・洗剤等を収納する、線材で形成された収納棚に、同じく線材で形成された折りたたみ可能なまな板等の載置台を取り付け、使わないときは載置台を２つ折れにして収納棚側に引き上げておくことにより他の作業の邪魔になることはない。【選択図】図１
2010119817.tif 000002
【特許請求の範囲】
【請求項１】
キッチン・シンク内に装着して使用するバスケット状の物置き・作業台であって、バスケットの前壁は２つ折れの台面で構成し、側壁は台の脚となる構造で、台面を伸展して、又収納して使用することができる物置き・作業台。
【発明の詳細な説明】
【技術分野】
【０００１】  本発明は、キッチン・シンク内に装着する物置き・作業台に関するものである。
【背景技術】
【０００２】  物置き台としては水切り棚があり、作業台としてはスノコや掛渡板がある。
【発明が解決しようとする課題】
【０００３】  マナ板を安定した姿勢で十分に洗おうとすればシンクの床に置くことになる。そうすると裏面を汚し両面が濡れるが、たいてい片面は乾燥条件が悪くカビで黒ずむことになる。また、鍋等の底を濡らさないためには、注水中ずっと手で支えることになり不便である。
【０００４】  その他、シンクの床に直接物を置くことがはばかられる場合や、当座の水切りに、また作業に台が欲しいことはよくあるが、外から台を用意するのは煩わしいし、シンク内に台を入れっぱなしでは邪魔である。
【課題を解決するための手段】
【０００５】  シンク内に装着したスポンジ・洗剤棚の前方に、２つ折れができる台面を回転可能な形態で取り付ける。付加した台は、使わないときは棚に引き上げて２つ折れにして収納する。
【発明の実施形態】
【０００６】  図１は台面の乾燥に留意した例であるが、台面はパンチング・ボードや網のものが考えられる。
図２、３の黒丸は、接合部が回転できることを示す。台面２と台面３は中折れ式で、台面３には固定脚４が付いている。この脚は収納時にはバスケットの側壁となり、図１のように脚先に設けたフックで止めて２つ折れした台面を固定する。
【発明の効果】
【０００７】  発明が解決しようとする課題に記載した事項は解決する。
【０００８】  その他の効果として、▲１▼台面を包丁が使えるものにしておけば、泥の付いたゴボウや野菜の根、そして魚の頭を切るのに便利である。▲２▼台にマナ板やバットを乗せると二階建になってシンクを広く使える。など。
【産業上の利用可能性】
【０００９】  バスケットを組込んだシンクが市販されており、特にそのタイプでは、少ないコストで大きな付加価値が得られる。
【図面の簡単な説明】
【図１】  全体の立体図
【図２】  台面を伸展した側面図
【図３】  台面を収納する途中の側面図
【符号の説明】
１  スポンジ・洗剤の棚
２  棚に接合する台面部分
３  脚付台面部分
４  脚
【図１】
2010119817.tif 000003
【図２】
2010119817.tif 000004
【図３】
2010119817.tif 000005
(57)【要約】【課題】  参考資料をキーボードの横のスペースに置くか、またはピンなどを利用して、参考資料を机の上部に掲げて固定するか、あるいはディスプレイに固定するなどしてパソコン作業を行うと、資料を参照する際、視線をキーボードの横に向けたり、ディスプレイの上、横などに向けたりしなければならず、不自然な体勢を余儀なくされ、長時間のパソコン作業は、身体的に無理な姿勢を強いるものとなってしまう。本発明は、以上の問題点を解決するためになされた、パソコン用キーボードデスクを提供する。【解決手段】  長方形状の平板よりなる天板の長手方向一側面の両角より、下方へ向けて支柱を垂下させ、その支柱の下端に脚部を設ける。このとき、天板の両側は、側面開口部を介して、脚部が設けられている。  脚部の側面に、長手方向に向けて、脚部側板を設け、脚部の長手方向に沿って、脚部底板を設け、脚部底板の後端部に、突出状の滑り止めを設ける。  以上の構成よりなるキーボードデスク。【選択図】図１
2010119812.tif 000002
【特許請求の範囲】
【請求項１】
長方形状の平板よりなる天板の長手方向一側面の両角より、下方へ向けて支柱を垂下させ、その支柱の下端に水平状の脚部を設け、脚部にキーボードを載置可能とする、パソコン用キーボードデスク。
【発明の詳細な説明】
【技術分野】
【０００１】  本発明は、パソコン作業をする際、参考資料等を置く作業スペースとして、空いているキーボードの上部を確保するために、キーボードと一体化させて使用する、キーボードデスクに関するものである。
【背景技術】
【０００２】  従来、参考資料を見ながらパソコン作業を行うとき、参考資料をキーボードの横のスペースに置くか、またはピンなどを利用して、参考資料を机の上部に掲げて固定するか、あるいはディスプレイに固定するなどして参考資料を見ながらパソコン作業をしていた。
【発明の開示】
【発明が解決しようとする課題】
【０００３】  参考資料をキーボードの横のスペースに置くか、またはピンなどを利用して、参考資料を机の上部に掲げて固定するか、あるいはディスプレイに固定するなどしてパソコン作業を行うと、資料を参照する際、視線をキーボードの横に向けたり、ディスプレイの上、横などに向けたりしなければならず、不自然な体勢を余儀なくされ、長時間のパソコン作業は、身体的に無理な姿勢を強いるものとなってしまう。また、ピンなどを利用して参考資料を机の上部に掲げて固定するか、あるいはディスプレイに固定するなどする際には、重量のある参考資料の固定は、無理である。
本発明は、以上の問題点を解決するためになされたものである。
【課題を解決するための手段】
【０００４】  長方形状の平板よりなる天板の長手方向一側面の両角より、下方へ向けて支柱を垂下させ、その支柱の下端に脚部を設ける。このとき、天板の両側は、側面開口部を介して、脚部が設けられている。
脚部の側面に、長手方向に向けて、脚部側板を設け、脚部の長手方向に沿って、脚部底板を設け、脚部底板の後端部に、突出状の滑り止めを設ける。
以上の構成よりなるキーボードデスク。
【発明の効果】
【０００５】  キーボード上に配置されたキーボードデスクの上に参考資料を置くことにより、視線を不自然な方向に向けることなく、作業を行うことができる。また、キーボードデスクの上なら、書籍などの重量のある参考資料であっても、問題なく置くことができる。
【発明を実施するための最良の形態】
【０００６】  以下、本発明の実施の形態を説明する。
（イ）長方形状の平板からなる天板（１）の長手方向一側面の両角より、下方へ向けて支柱（２）を垂下させる。
（ロ）支柱（２）の下端に、天板（１）の短尺方向と平行に水平に長尺状の脚部（３）を設ける。このとき、天板（１）の両側は、側面開口部（５）を介して脚部（３）が設けられている。
（ハ）脚部（３）の側面に、長手方向に向けて脚部側板（３ａ）を設ける。
（ニ）脚部（３）に、長手方向に沿って脚部底板（３ｂ）を設ける。
（ホ）脚部底板（３ｂ）の後端部に、突出状の滑り止め（４）を設ける。
本発明は以上のような構造である。
本発明を使用するときは、図３のように使用する。
（イ）キーボード（７）を本発明の天板（１）の下方に配置し、両側の脚部底板（３ｂ）の上に橋渡すようにして載置する。
（ロ）本発明の天板（１）の上に参考資料等を配置する。
（ハ）正面から本発明の天板の下方に手を入れ、キーボード（７）を操作する。
マウスの操作や、その他の動作のとき、一々手を正面から手前に引き出すことなく、左右の側面開口部（５）から、キーボードデスクの外部に手を出すことができるようになっている。従って、ブラインドタッチのできる作業者なら、パソコン作業時に、このキーボードデスクの存在が邪魔になることはない。
従って、キーボードデスクの天板（１）の上に参考資料を載せ、参考資料を見やすい位置に配置して、パソコン作業を楽に行うことができる。
また、キーボード（７）を天板（１）の下方に載置したときに、キーボードデスクの脚部側板（３ｂ）がキーボード（７）の両側面を狭持し、滑り止め（４）がキーボードの後端を狭持するので、キーボード（７）はキーボードデスクから落下しない。
本発明の他の実施例として図４〜図６に示すようにすることも可能である。
脚部（３）の側面に、底板（６）を橋渡すように設ける。
底板（６）の後端部に、突出状の滑り止め（４）を設ける。
キーボード（７）を本発明の天板（１）の下方に配置し、底板（６）の上に載置して使用する。
【図面の簡単な説明】
【０００７】
【図１】本発明の正面斜視図
【図２】本発明の背面斜視図
【図３】本発明の使用状態を示す斜視図
【図４】本発明の他の実施例を示す正面斜視図
【図５】本発明の他の実施例を示す背面斜視図
【図６】本発明の他の実施例の使用状態を示す斜視図
【符号の説明】
【０００８】（１）天板（２）支柱（３）脚部（３ａ）脚部側板（３ｂ）脚部底板（４）滑り止め（５）側面開口部（６）底板（７）キーボード
【図１】
2010119812.tif 000003
【図２】
2010119812.tif 000004
【図３】
2010119812.tif 000005
【図４】
2010119812.tif 000006
【図５】
2010119812.tif 000007
【図６】
2010119812.tif 000008
(57)【要約】【課題】  視覚障害者用に文字情報を音声化する二次元コードにおいて、二次元コードの印刷位置情報を手探りによる判別の容易化を図る。【解決手段】  印刷された二次元コードの周囲に凸状に浮き出た突起点を設けて、手探りで二次元コードの印刷位置を特定できるようにする。これにより、視覚障害者は触覚にて音声変換用に二次元コードの位置情報を特定できるので、活字文書読み上げ装置にて音声変換が可能となる。【選択図】図１
2010119813.tif 000002
【特許請求の範囲】
【請求項１】
視覚障害者用に文字情報を音声化する二次元コードを有する印刷物において、手探りにて印刷位置を特定出来るようにその周囲に凸状に浮き出た突起点を設けてあることを特徴とする情報媒体。
【請求項２】
視覚障害者用に文字情報を音声化する二次元コードを有する印刷物において、手探りにて印刷位置を特定出来るようにその周囲にミシン目状の切り欠きを設けてあることを特徴とする請求項１記載の情報媒体。
【請求項３】
視覚障害者用に文字情報を音声化する二次元コードを有する印刷物において、手探りにて印刷位置を特定出来るように、一連の印刷工程の中でその周囲に半円状の穴を設けてあることを特徴とする請求項１記載の情報媒体。
【発明の詳細な説明】
【発明の詳細な説明】
【技術分野】
【０００１】  本発明は、印字された二次元コードの位置情報を手探りで判別するための突起点を備えた情報媒体に関する。
【背景技術】
【０００２】  近年、合成樹脂や紙などの薄板の表面に情報を記録した二次元コードを設け、これを活字文書読み上げ装置にて音声変換するシステムが、平成１５年に厚生労働省の日常生活用具に指定されて、視覚障害者の情報取得のために活用されている。【０００３】  視覚障害者は視覚にて音声変換する二次元コードに印字位置を特定することが困難であるために、そのため記録した紙面の端を半円状の切り欠きマークを穴あけパンチ等の穴あけ機械により設けている。しかしながら、穴あけパンチ等の穴あけ機械は刃物であるために、安全面で問題があり、また別加工であるために経費がかかる等の問題点も指摘されている。
【発明が解決しようとする課題】
【０００４】  二次元コードの印刷位置の特定は、視覚障害者が触覚で位置認識が可能であればよく、切欠きと同様の効果がある認識マークであればよい。
【０００５】  そのために、視覚障害者の全国団体「社会福祉法人日本盲人会連合」にて種々の認識マークを試験したところ、凸状の浮き出た突起点およびミシン目の切り欠きを二次元記号が印字された側面に設けることにより触覚にて認識できることが確認された。
【０００６】  現状の記号の位置認識方法は、印刷物に二次元コードを印刷した後に二次元コードの位置情報を視覚障害者に知らせる手段として、印刷された二次元コードの外側に半円状の切欠きを穴あけパンチ等の穴あけ機にて別工程にて後加工していた。
【０００７】  しかし、切欠きを別工程で後加工することにより、追加の経費がかかり、二次元コードの印刷物が高価になるという問題点が生じている。
【０００８】  本発明は、上記事情に技術革新に鑑みてなされたものであり、その目的は、こうした諸問題を解消するためになされたもので、視覚障害者用に文字情報を音声化する二次元コードを有する印刷物において、一連の印刷工程の中に手探りにて印刷位置を特定出来るようにその側面に触覚で判別するような起点を設けてあることを特徴とする情報媒体を安価に提供するにある。
【課題を解決するための手段】
【０００９】  本発明は、以下の手段により上記課題の解決を図る。
即ち、本発明によれば、
この情報媒体は合成樹脂や紙などの薄板の表面に情報を記録した二次元コードを設けた視覚障害者用の文字情報音声化媒体で、印字された二次元コードの側面に幅１．６ミリで高さ０．５ミリの点字状の突起点▲１▼を一連の印刷工程の中に設けている。
【００１０】  この突起点はＪＩＳ規格ＪＩＳ  Ｔ０９２１「高齢者・障害者配慮設計指針一点字の表示原則及び点字表示方法−公共施設・設備」に準拠しており、視覚に障害がある人が触覚にて判別が可能なものである。
【００１１】  これにより視覚障害者は手探りにて音声変換する二次元コードの位置の特定が可能となる。全盲の視覚障害１級及び２級のユーザーを対象とした場合は印字された二次元コードの下部に２個の突起点を設けることが望ましい。また、六点式点字を用いて、点字を表記しても同じ効果が得られる。
【００１２】    本発明によれば、二次元コードを有する印刷物において二次元コードの印字位置の特定は、視覚障害者が手探りにて突起点を触覚にて特定することが可能となり、活字文書読み上げ装置にて音声変換することが容易な情報媒体が安価に提供される。
【実施例】
【００１３】  添付図面１を参照して、本発明による二次元コードを有する印刷物において、手探りにて印刷位置を特定出来る実施形態を説明する。【００１４】  図１は本発明の二次元コードを有する印刷物の概略図である。
この印刷物は郵便封筒の音声変換用の二次元コード▲４▼が印刷されたものである。【００１５】  この印刷物に▲１▼の突起点、▲２▼ミシン目状の切欠または▲３▼半円状切のいずれかを設けるようにして、視覚障害者が手探りにて▲４▼二次元コードの位置を特定するものである。【００１６】  ▲１▼の突起点は幅１．６ミリ以上で高さは０．５ミリ程の大きさであれば良い。尚、一連の印刷工程の手順は封筒印刷の例を基に下記に説明する。【００１７】  通常の封筒印刷工程は、「原稿入稿」、「印刷」、「断裁」、「印刷封筒の形状の型抜き」、「窓加工」、「製袋」、「口糊加工」して製品化さる。現在までの▲３▼切欠きの加工は製品化後に穴あけ機にて後加工されて出荷されている。【００１８】  しかしながら、本発明では「印刷封筒の形状の型抜き」、「窓加工」の時点で、型抜きの原版金型に凸状の型押しを追加することにより、一連の印刷工程の中に突起状の▲１▼を設けることが可能となる。【００１９】  同じように、▲２▼ミシン目状切欠きおよび▲３▼半円状切欠きも可能となる。
【発明の効果】
【００２０】  本発明によれば、合成樹脂や紙などの薄板の表面に情報を記録した二次元コードを有する印刷物において、一連の印刷工程の中に二次元コードの周囲に触覚で判別可能な突起点を設けるという簡単な手段で、印字された音声変換用の二次元コードの位置情報を指の触覚で容易に判別することができることで安価に提供が可能となる。
【図面の簡単な説明】
【図１】本発明にかかる二次元コードの実施の一形態を示す概略図である。
【図２】本発明にかかる二次元コードの実施の一形態を示す平面図である。
【図３】本発明にかかる二次元コードの実施の一形態を示す平面図である。
【図４】図１に示す▲１▼の突起点を指頭でなぞった様子を示す平面図である。
【符号の説明】
▲１▼  点字状の突起点
▲２▼  ミシン目状の穴
▲３▼  切欠きの穴
▲４▼  音声変換用の二次元コード
【図１】
2010119813.tif 000003
【図２】
2010119813.tif 000004
【図３】
2010119813.tif 000005
【図４】
2010119813.tif 000006
(57)【要約】【課題】  灸治療の際には艾を燃焼させるが、艾の燃焼に伴い煙が発生することは避けられず、健康上の理由や被服や調度品への臭いの付着などから、煙を嫌う人が多くなっており、灸治療の普及を妨げる大きな要因の一つであった。【構成】  断熱性を有する台座に表裏を貫通する通気孔を設けると共に、炭化した艾の粉末とバインダーとを混練して形成した柱状燃焼体の下部を、台座上面から通気孔の上部に挿入固定して温灸具を構成した。【選択図】  図３
2010119555.tif 000002
【特許請求の範囲】
【請求項１】
断熱性を有する台座（１）に表裏を貫通する通気孔（２）を設けると共に、炭化した艾の粉末とバインダーとを混練して形成した柱状燃焼体（７）の下部を、台座（１）の上面から通気孔（２）の上部に挿入固定したことを特徴とする温灸具。
【請求項２】
バインダーが楡の樹皮の粉砕物であることを特徴とする請求項１記載の温灸具。
【請求項３】
台座（３）が厚紙製でかつ円板状をなしていることを特徴とする請求項１記載の温灸具。
【請求項４】
柱状燃焼体（７）に点火剤が添加されていることを特徴とする請求項１記載の温灸具。
【請求項５】
柱状燃焼体（７）が押出成形によって製造されることを特徴とする請求項１記載の温灸具。
【発明の詳細な説明】
【技術分野】
【０００１】
この発明は、温灸具、詳しくは、煙が発生しないクリーンな温灸具に関するものである。
【背景技術】
【０００２】
艾を人体表面のツボと称される東洋医学上の特定部位にのせて燃焼させ、その際に発生する温熱によって治療を行う灸治療は古来より広く行われている。
【特許文献１】特開平５−２８５１９１号公報
【非特許文献１】なし
【発明の開示】
【発明が解決しようとする課題】
【０００３】
古来より行われている伝統的な灸治療においては、肌に直接艾をのせて火を付けるので、肌にやけど跡が残ったり、熱さの為に苦痛を感じるといった問題があり、灸治療を忌避される大きな要因の一つとなっている。
【０００４】
この為、図１に示す様に、厚紙等で形成された台座１の裏面に粘着剤層６を形成すると共に、その表裏を貫通する通気孔２を設け、艾３を薄紙４で巻いた艾集合体５の下端をこの通気孔２の上面に固定し、台座１の裏面を肌に貼り付け、この状態で艾集合体５に着火し、艾３の燃焼時の熱気を通気孔２を通して肌に伝える様にした温灸具が提案され広く使用されている。
【０００５】
この温灸具は、艾３が肌に接していないので、艾３に付けた火が直接肌に作用することがなく、肌にやけどが生じたり、耐えられぬ程の熱さを感じることがない長所を有しているが、艾３の燃焼に伴ない、煙が発生することは避けられなかった。昨今は、嫌煙運動などの影響で、煙に対して敏感な人が多くなっており、艾の煙はたばこの煙の様に害はないにもかかわらず、灸治療の際に発生する煙が嫌われる傾向が強くなっている。
【０００６】
本発明者は、灸治療に関する上記実情に鑑み、煙を発生させないクリーンな灸治療を実現すべく研究を行った結果、煙を発生せず、火持ちも良い温灸具を開発することの成功し、本発明としてここに提案するものである。
【課題を解決するための手段】
【０００７】
断熱性を有する台座１に表裏を貫通する通気孔２を設けると共に、炭化した艾の粉末とバインダーとを混練して形成した柱状燃焼体７の下部を、台座１の上面から通気孔２の上部に挿入固定して温灸具を構成することにより、上記課題を解決した。
【発明の効果】
【０００８】
図１に示す従来の温灸具と同様に、台座１の裏面側に形成されている粘着剤層６によって肌に貼付し、柱状燃焼体７に着火し、灸治療の用に供する。この際、着火された柱状燃焼体７は炭化した艾を主成分をしているので、燃焼に伴う煙の発生はほとんどなく、煙特有の臭いも発生しない。従って、煙を嫌う人達でも、何ら抵抗なく灸治療を行うことが出来る。又、炭化した艾を用いているので、艾そのものを用いていた図１記載の従来の温灸具に比べ、火持ちが格段に良く、長く灸治療効果を持続させることが出来、灸治療をより一層普及させることが出来る効果を有する。更に、柱状燃焼体７は押出し成形で連続的に生産することが可能で、手作業に頼って艾３を薄紙４で巻いた従来品に比べ、はるかに容易かつ低コストで製造することが出来る。
【発明を実施するための最良の形態】
【０００９】
灸治療の際に、炭化した艾を燃焼物として用いる様にした点に最大の特徴が存する。
【実施例１】
【００１０】
図２はこの発明に係る温灸具の実施例１の斜視図、図３はその縦断面図である。
図中１は台座であり、厚紙などの断熱性を有する素材からなり、２ｍｍ〜４ｍｍ程度の肉厚を有する円板状をなし、表面には粘着剤層６が形成されており、肌に貼り付けられる様になっている。又、この台座１の中央にはその表裏を貫通する円筒状の通気孔２が形成されている。
【００１１】
一方、７は、炭化した艾を主成分とした柱状燃焼体７であり、長さ１ｃｍ程度の丈の短い円柱状をなしており、その外径は前記通気孔２の内径によりわずかに小さく形成されている。
【００１２】
この柱状燃焼体７は、艾を空気不存在下で蒸し焼きして製した艾の炭化物の粉末にバインダーとして適量の楡の樹皮の粉砕物と点火剤とを混ぜ、更に水を加えて混練し、金型に入れて棒状に押出成形したものを乾燥させ、これを長さ１ｃｍ程度にカットしたものである。そして、この柱状燃焼体７は、その部分が台座１の上面側から通気孔２のない部にわずかに挿入された状態で、接着固定されている。
【００１３】
この実施例１に係る温灸具は、上記の通りの構成を有するものであり、図１に示す従来の温灸具と同様に、台座１の裏面側に形成されている粘着剤層６によって肌に貼付し、柱状燃焼体７に着火し、灸治療の用に供する。この際、着火された柱状燃焼体７は炭化した艾を主成分をしているので、燃焼に伴う煙の発生はほとんどなく、煙特有の臭いも発生しない。従って、煙を嫌う人達でも、何ら抵抗なく灸治療を行うことが出来る。又、炭化した艾を用いているので、艾そのものを用いていた図１記載の従来の温灸具に比べ、火持ちが格段に良く、長く灸治療効果を持続させることが出来る。更に、柱状燃焼体７は押出し成形で連続的に生産することが可能で、手作業に頼って艾３を薄紙４で巻いた従来品に比べ、はるかに容易かつ低コストで製造することが出来る。
【産業上の利用可能性】
【００１４】
疲労回復や各種疾病疾患の治療や予防に利用可能である。
【図面の簡単な説明】
【００１５】
【図１】従来の温灸具の代表例の縦断面図。
【図２】この発明に係る温灸具の実施例１の斜視図。
【図３】同じく、その縦断面図。
【符号の説明】
【００１６】
１    台座
２    通気孔
３    艾
４    薄紙
５    艾集合体
６    粘着剤層
７    柱状燃焼体
【図１】
2010119555.tif 000003
【図２】
2010119555.tif 000004
【図３】
2010119555.tif 000005
(57)【要約】【課題】本発明は、フカヒレエキス、寒天、ゼラチンを含有し、餅のような弾力と溶解度の高い歯に付着しないキャラメルの製造方法である。バターを使わず、健康、美容志向考をも考慮し、かつ、口に入れたときの弾力と、歯に付着しない溶解度。餅のようなやわらかい弾力と、口に入れると歯に付着せず直ぐ溶ける高い溶解度のキャラメルの製造方法である。【解決手段】フカヒレエキス、寒天、ゼラチンを含有したキャラメル。フカヒレエキスをキャラメルの原料に加え、寒天、ゼラチンの分量、加熱温度、加熱時間などにより、キャラメルが餅のような弾力をもち口に入れると歯に付着せず直ぐに溶ける溶解度の高さを実現したキャラメルの製造方法。【選択図】なし【特許請求の範囲】
【請求項１】
フカヒレ、寒天、ゼラチンを含有してなる餅のような弾力と、歯に付着せず、溶解度の高い口に入れると直ぐ溶けるキャラメルの製造方法。
【発明の詳細な説明】
【技術分野】
【０００１】本発明は、フカヒレエキス、寒天、ゼラチン含による餅のような弾力と歯に付着せず溶解度の高いキャラメルの製造方法に関するものである。従来コラーゲン入りの商品及びキャラメルは、種類により幾らかの原料及び製造方法に相違があるものの、主原料は、砂糖、水飴、バター等油脂、練乳等を加えたものであり、その製造工程は、煮熟及び成型という方法を採用している。食感では、弾力のあるグミや、ソフトキャラメルなどがあるが、同時に数種の食感を味わうことは出来なかった。
【背景技術】
【０００２】周知のごとく、キャラメルは、砂糖、練乳、バター等や水飴等を煮熟による縮合重合化学反応を利用すると共に、高温下における水分除去の操作にある。煮熟という製造方法により、一般的にキャラメルは、飴よりも甘さ，油分が強いとされ歯に強く付着するものもある。
【発明の開示】
【発明が解決しようとする課題】
【０００３】本発明は前記のようなキャラメルを改良し、バターを使わず、健康、美容志向考をも慮し、かつ、口に入れたときの弾力、歯に付着しない溶解度の高さ。餅のようなやわらかい弾力と、口に入れると歯に付着せず直ぐ溶ける溶解度の高いキャラメルを提供するものである。
【課題を解決するための手段】
【０００４】本発明者は、フカヒレを食したときの唇が張り付くようなフカヒレの成分に着目し、フカヒレエキスをキャラメルの原料としたところ。キャラメルに弾力が出てきた。その弾力を餅のような弾力により近づける食材及び原料の配分を探しだし、その製造工程を開発したものである。本発明は、フカヒレエキス、寒天、ゼラチン、を含有してなるキャラメルで、餅のような弾力、及び口に入れると歯に付着せず直ぐ溶ける溶解度の高いキャラメルの製造方法である。
【発明の効果】
【０００５】上記のとおり本発明は、従来の利点を併せ持ち、数種の食感、かつ、歯に付着することのないキャラメルを特徴とするものである。フカヒレエキス、寒天、ゼラチン、の分量の組み合わせ及び加熱温度、加熱時間などの工程により、餅のような弾力と口に入れたとき歯に付着しない溶解度の高さを併せ持つキャラメルが得られることと成った。なお、フカヒレエキスで美肌効果も期待でき。バターを使用してないことから油分の軽減にもなる。歯に一切付着せず、溶解度の高さから子供や老人にも安心して与えられる。餅のような弾力、食感と、溶解度の高い、口に入れると直ぐ溶ける数種食感が一度に得られるのキャラメルの製造が可能となった。
【実施例】
【０００６】キャラメルを対象とする本発明法の実施例について説明すると。
１    フカヒレエキス１に対して糖類３．９、牛乳２．５、寒天ゼラチン０．１。その他各味付け材料を鍋に入れ１１０−１２０度前後で煮熟。
２    生クリーム６を加え煮熟。
３    冷却版に移し冷凍庫で冷やす。
４    成型する。
【産業上の利用可能性】
【０００７】本発明は、フカヒレエキス、寒天、ゼラチンを含有するキヤラメルの餅のような弾力。食感と、口に入れると歯に付着せずに直ぐ溶ける溶解度の高いキャラメル及びその製造方法に関するものである。
(57)【要約】【課題】高品質の焼干しを効率よく大量に生産する焼干しの製造方法。【解決手段】魚材を、通気のため若干の通気口を設けた密閉された容器内に、金網等不燃性の設備を用いて空気等の流通を妨げない程度に配置し、その容器内に、加熱器等を用いて、最初に摂氏５５度以上８０度以下に熱した空気を吹き込んで循環させ、次にその熱風の温度を摂氏１７０度以上２５０度以下に上げ魚材の表面がキツネ色になるまで加熱、最後にその熱風の温度を摂氏１１０度以上１５０度以下に下げ魚材を完全に乾燥させる、以上のように段階的に温度設定された熱風を用いて製造する。【選択図】なし【特許請求の範囲】
【請求項１】
魚材に、摂氏１７０度以上２５０度以下の熱風を吹き付けることによって魚材の表面がキツネ色になるまで加熱、次に、焦げないように摂氏１１０度以上１５０度以下の熱風を吹き付けることによって魚材を完全に乾燥させる、以上、二段階の温度に設定された熱風を用いた焼干し製造法。
【請求項２】
請求項１の工程の前に、腐敗菌等雑菌の繁殖を押さえ、同時にイノシン酸が酵素の働きにより活発に生成されるといわれる摂氏５５度以上８０度以下の熱風を吹き付け加熱することによって、魚材中にイノシン酸を充分に生成させる工程を付加した、以上、三段階の温度に設定された熱風を用いた焼干し製造法。
【請求項３】
請求項１及び請求項２において、熱風中に炭火、練炭火等で直接加熱した燃焼ガス等一酸化炭素などの還元性ガスを含むガスを加え、又は、熱風としてそれらの燃焼ガスを用いた焼干し製造法。
【発明の詳細な説明】
【技術分野】
【０００１】
本発明は、高品質の焼干しを効率よく大量に生産できる焼干し製造法に関するものである。
【背景技術】
【０００２】
イワシ等の小魚である魚材を加工した、主にダシの材料として使用され、通常イリコと称される煮干しは巷間大いに使用されているが、これに対して焼干しというものが存在する。
【０００３】
それらの製造方法については、煮干しは魚材を水で煮てから天日に干して乾燥させ、焼干しは魚材を炭火等で焼いてから天日に干して乾燥させたものである。
【０００４】
その製造方法の違いにより、煮干しは煮汁に旨味等の成分が溶け出すが、焼干しではそのロスがなく、又、煮干しには魚特有の臭みがどうしても残るが、焼干しには臭みはない、との優れた食材としての特徴が焼干しにはある。
【０００５】
しかしながら、煮干しにおける煮るという作業は、水の沸点が摂氏１００度であることから温度を一定に保持することは簡単で、魚材がさほど大量であっても均一に加熱することが極めて容易であることに対し、焼干しの焼くという作業は温度の管理が難しいため均一性を保つことは容易ではなく、なおかつ大変な手間がかかる。
【０００６】
したがって焼干しは、優れた食材であるにもかかわらず、ほんの一部の料亭の板前が個人的に作っている他は大衆向けには極一部の限定された地域でしか生産されていないのが実情で、殆んどの人が知らず、又一般には普及していない。
【発明の開示】
【発明が解決しようとする課題】
【０００７】
焼干しとしての特徴を損なうことなく、むしろ高めながら、均一かつ高品質の焼干しを大量に製造可能とする点にある。
【課題を解決するための手段】
【０００８】
本発明は、焼干しの焼き及び乾燥にかかる製造工程を二段階に分け、それぞれの段階に最適な一定温度に調節された熱風を用いることを特徴とする。
【０００９】
まず準備段階として、内臓等不必要な部分を除いた魚材を、通気のため若干の通気口を設けた密閉された容器内に、金網等不燃性の設備を用いて、空気等の流通を妨げない程度に配置する。
【００１０】
上記容器内に、加熱器等を用いて摂氏１７０度以上２５０度以下に熱した空気を、吹き込んで循環させ、魚材の表面がキツネ色になるまで加熱する。
【００１１】
次に、その熱風の温度を摂氏１１０度以上１５０度以下に下げ、魚材を完全に乾燥させる。
【００１２】
さらに製品の旨味を増加させるためには、腐敗菌等雑菌の繁殖を押さえ、同時にイノシン酸が酵素の働きにより活発に生成されるといわれる摂氏５５度以上８０度以下の熱風を吹き付け加熱する工程を最初に取り入れ、三段階の温度に設定された熱風を用いる。
【００１３】
又、魚材中の脂肪分等の酸化防止のために、熱風中に炭火、練炭火等で直接加熱した燃焼ガス等一酸化炭素などの還元性ガスを含むガスを加え、又は、熱風としてそれらの燃焼ガスを使用する。
【発明の効果】
【００１４】
均一かつ高品質の焼干しを大量に製造できるという利点がある。
【００１５】
腐敗菌等雑菌の働きを抑えることができ、衛生的である。
【００１６】
又、摂氏５５度以上８０度以下の熱風工程を加えることにより、魚材を用いた食材の旨み成分であるイノシン酸を最大限に生かした製品ができるという利点がある。
【００１７】
さらに、熱風中に炭火、練炭火等で直接加熱した燃焼ガス等一酸化炭素などの還元性ガスを含むガスを加え、又は、熱風としてそれらの燃焼ガスを使用すると、魚材中の脂肪分等の酸化防止が可能となり、より高品質の製品ができる。
【発明を実施するための最良の形態】
【００１８】
内臓等不必要な部分を除いた魚材を、通気のため若干の通気口を設けた密閉された容器内に、金網等不燃性の設備を用いて空気等の流通を妨げない程度に配置し、その容器内に、加熱器等を用いて摂氏５５度以上８０度以下に熱した空気を吹き込んで循環させて魚材中にイノシン酸を充分に生成させ、次に、その熱風の温度を摂氏１７０度以上２５０度以下に上げて魚材の表面がキツネ色になるまで加熱、最後に、その熱風の温度を摂氏１１０度以上１５０度以下に下げ魚材を完全に乾燥させる。
【００１９】
さらに魚材中の脂肪分等の酸化を防止して高品質とするために、熱風中に炭火、練炭火等で直接加熱した燃焼ガス等一酸化炭素などの還元性ガスを含むガスを加え、又は、熱風としてそれらの燃焼ガスを使用する。
【００２０】
最後の工程に関しては、天日による自然乾燥も可能だが、より速く、より完璧な製品とするため、又、衛生面を考慮すると、上記方法が最善である。
【産業上の利用可能性】
【００２１】
この発明は、魚材だけでなく、牛肉、豚肉等の肉類、さらに野菜、海草等の植物にも応用可能である。
(57)【要約】【課題】    需要が低迷している日本酒の活性化の1つとして日本酒を逆浸透膜を用いて濃縮し、    若者向けの新しい日本酒を提供する【解決手段】    逆浸透膜に日本酒を通すことで水と日本酒に分離する。水は逆洗水として利用し、濃    縮した日本酒は他の飲料を混ぜて新日本酒を製造する方法【選択図】  図１
2010119347.tif 000002
【特許請求の範囲】
【請求項１】
日本酒を逆浸透膜を使ってアルコール13〜20度を高濃度アルコールに
濃縮した日本酒の製造方法
【請求項２】
日本酒の成分と味を損なわない常温での濃縮により、水分と前記日本酒とに
分離することを特徴とする濃縮した日本酒の製造方法
【請求項３】
前記分離水の一部を逆浸透膜の逆洗水として利用する請求項2に記載した製造方法
【請求項４】
日本酒を逆浸透膜で分離した水を新酒の製造水としてリサイクルする製造方法
【請求項５】
前記濃縮した日本酒に色々の炭酸や果汁などを混合して
新しい新日本酒を請求項2に記載した製造方法
【請求項６】
他のアルコール飲料を逆浸透膜で濃縮して出来た生産物と
前記濃縮日本酒を混合して造る酒の請求項2に記載した製造方法
【発明の詳細な説明】
【技術分野】
【０００１】
本発明はアルコール分13〜20度の日本酒を逆浸透膜を使って日本酒本来の性質を
変えずに高濃度アルコールの日本酒を製造し、日本酒をベースに色々の飲料を混ぜて多種の新日本酒飲料を製造する方法及び装置。
【背景技術】
【０００２】
近年、アルコール飲料は多種多様の種類が販売されていて、特に若者の日本酒離れにより需要は減少傾向にある。
一方、近年、世界中で日本食ブームが進み、日本酒に対する需要が増える方向に対応してグローバルな趣向の日本酒の開発が必要となる。
【０００３】
従来より用いられる蒸留法は、熱を加えるため日本酒本来の成分と味が失われるためそれを改善する方法として逆浸透膜で濃縮すると日本酒本来の成分と味が守られる。
【０００４】
従来の蒸留法や凍結法は装置が複雑で、エネルギーコストが高くなるが、膜方式は膜と高圧ポンプの組み合わせのため、装置がシンプルでエネルギーコストが安くランニングコストも低い。
【特許文献１】特開平11-276150号公報
【発明の開示】
【発明が解決しようとする課題】
【０００５】
蒸留法だと熱により日本酒本来の成分と香りが失われる方法を改善する。
【０００６】
蒸留法や凍結法は温度調節が難しい。
【０００７】
蒸留法や凍結法はランニングコストが高い。
【０００８】
装置の連続運転が衛生的に出来ない。
【０００９】
分離水の再利用が出来ない。
【課題を解決するための手段】
【００１０】
本発明はかかる課題を解決するために常温の日本酒を原料として、逆浸透膜で常温の新日本酒が濃縮される。
【００１１】
逆浸透膜による濃縮装置は全てクローズされたシステムのため、衛生的に新日本酒が製造出来る。
【００１２】
逆浸透膜の濃縮方法は製造される製品の濃縮アルコール分が高圧ポンプの圧力調節で容易に出来る。
【００１３】
逆浸透膜の濃縮装置は膜と高圧ポンプのみのシンプルな構造のため、ランニングコストが安くなる。
【００１４】
逆浸透膜により分離された水は日本酒自身の水分のため人の飲料水や新酒製造用の水としてリサイクル出来る。
【発明の効果】
【００１５】
以上の様に、本発明によれば常温濃縮のため、日本酒が持っている味や香りや成分に影響なく新しい酒を製造することが出来る。
【００１６】
本発明は製造工程が全てクローズされているので衛生的でランニングコストが安く新日本酒を造ることが出来る。
【００１７】
本発明は濃縮して出来る新日本酒のアルコール分は、高圧ポンプの圧力を変えることで容易に調節出来るため連続して新日本酒を製造することが出来る。
【００１８】
本発明は分離水のリサイクルが可能である。
【発明を実施するための最良の形態】
【００１９】
以下、図面を参照して本発明の好適な製造方法を詳しく説明する。
図1は本発明の実施例の概略構成図。
本発明で原料として使用出来るのは、日本酒・ワイン・焼酎・ウイスキー・ビール等の醸造酒である。
【００２０】
原料タンク(1)に製造された日本酒を入れる。(P1)のパイプから高圧ポンプ(2)を通って逆浸透膜(3)の中で水と日本酒に分離され、水は(P7)を通って分離水タンク(4)に入る。
【００２１】
連続運転を実現するために、分離水タンク(4)の分離水を逆洗水として逆洗ポンプ(10)から(P6)を通って逆浸透膜(3)へ送り、定期的に膜の洗浄をしながら連続運転を可能にする。
もう一方で、高濃度アルコール分の日本酒を(P3)を通って濃縮タンク(7)へ貯蔵する。
製品1として高アルコールの日本酒を作るために、濃縮タンク(7)から(P4)を通って高アルコール日本酒製造装置(8)へ送り、高日本酒を造る。
【００２２】
製品2として炭酸や果汁等を加えて、梅酒・サワー・シャンパン等の嗜好に似た
新しい日本酒を造るために、濃縮タンク(7)から(P5)を通って新日本酒製造ライン(9)へ送られ、若者向け日本酒を製造する。
【図面の簡単な説明】
【００２３】
【図１】図1は本発明の逆浸透膜を使って高濃度アルコール日本酒及び新日本酒を造る        装置の概略図である。
【符号の説明】
【００２４】
(1)原料タンク（日本酒の原料、タンク）
(2)高圧ポンプ（原料を逆浸透膜へ送るための高圧ポンプ）
(3)逆浸透膜（原料を水と日本酒に分ける膜）
(4)分離水タンク（膜で分離した水を貯蔵するタンク）
(5)新酒製造（新酒を造るラインへ分離水を供給し、リサイクルする）
(6)洗浄水（膜を逆洗した排水）
(7)濃縮タンク（膜を通って分離された日本酒を貯蔵するタンク）
(8)高アルコール日本酒製造（高アルコール日本酒を製造する）
(9)新日本酒製造ライン（濃縮タンクの日本酒を原料として低アルコール日本酒飲料を製造するライン）
【図１】
2010119347.tif 000003
(57)【要約】      （修正有）【課題】遊びをより楽しくするための擬音を発生する玩具を提供する。【解決手段】本装置は、コントローラと擬音発生器で構成し、コントローラからの信号を電波で受けて合成音を発生させる。例として、幼児が乗る三輪車のハンドルグリップにコントローラを搭載し、擬音発生器はリアリティのある音を出力する。擬音の種類はレースカーなど乗り物のエンジン音など、機械音、動物の泣き声、自然環境、楽器、アニメ、などの音を発生させる。【選択図】図１
2010020266.tif 000002
【特許請求の範囲】
【請求項１】
遊びの中での擬音を提供する。
【請求項２】
コントローラーによって音をリアルに表現する。
例（レースカーのエンジン音などは低速回転から高速回転まで）
【請求項３】
擬音の種類は動物・乗り物・機械・自然環境・アニメ・楽器  等全ての音。
【発明の詳細な説明】
【技術分野】
【０００１】  この発明は、遊びをより楽しくする。音の玩具に関する。
【背景技術】
【０００２】  幼児が三輪車に乗る時のブーブーと言う、声の延長のリアルな音の発生。
【発明の開示】
【発明が解決しようとする課題】
【０００３】  日常の遊び及移動中の音がほしい
【課題を解決するための手段】
【０００４】  色々の音の種類をコントローラーにより理想の音に近ずけられる。
【発明の効果】
【０００５】  声に出すより臨場間が増す。
【発明を実施するための最良の形態】
【０００６】  小型の音発生器は簡単に固定出来。コントローラーとの信号は無線で行う。
【図面の簡単な説明】
【０００７】
【図１】
【符号の説明】
【０００８】▲１▼コントローラーは三輪車・四輪車等のハンドルのグリップの親指に近い部分にベルトで固定して、指でコントロールする。
又は手に持ったままでもコントロール出来る。
コントローラーからの信号が電波で▲２▼の擬音発生装置のアンテナに送られ、合成音がスピーカーから発生される。
【図１】
2010020266.tif 000003
【手続補正書】
【提出日】平成20年9月2日(2008.9.2)
【手続補正１】
【補正対象書類名】明細書
【補正対象項目名】０００７
【補正方法】変更
【補正の内容】
【０００７】
【図１】  この発明の形態を示す斜視図である。
(57)【要約】      （修正有）【課題】製品に仕上がったグローブへの名入れやマーク、デザインを入れるといった事が非常に困難である。この事を解消すると同時に、グローブのデザイン性を高めるネームパーツを提供する。【解決手段】グローブの手の甲の部分にそった形に裁断した革などの生地１にマーク２を入れデザイン３とネーム４を加工する。生地１の左右両端の程よい場所に穴６、７を開けておき、この穴６、７にグローブで使用している革ヒモを通して結び、グローブに装着して使用するネームパーツ。【選択図】図１
2010020265.tif 000002
【特許請求の範囲】
【請求項１】
裁断した生地（１）にマーク（２）を刺繍等で入れ、その横の空白場所にデザイン（３）と、ネーム（４）を刺繍等の加工方法で入れる。
この生地（１）に裏地（５）を付け、両端に穴（６）と（７）を開ける。この穴（６）と（７）にグローブ（１０）で使用している革ヒモ（８）と（９）を通して結び、グローブ（１０）に装着して使用するネームパーツ。
【請求項２】
ネームパーツは、グローブ（１０）の手の甲、親指、人差し指、中指、薬指、小指等、グローブ（１０）の機能の妨げにならない場所に色、形、装着方法を部位に合わせて変化させ使用する。
この時、マーク（２）とデザイン（３）とネーム（４）の加工方法は、刺繍や型押し、レーザー、焼印、プリントなど、その時々に合わせて加工する。
【発明の詳細な説明】
【技術分野】
【０００１】  本発明は、ネームやデザイン等を記入した本製品を野球グローブに取付け出来るものであり、野球用品に関するものである。
【背景技術】
【０００２】  従来、野球グローブにネーム入れやマーク等の加工をする場合、製品に仕上げる以前にグローブの裁断パーツの状態でネーム加工等を行いました。この場合別注グローブとなります。
【発明の開示】
【発明が解決しようとする課題】
【０００３】  別注のグローブには、製造課題でネーム入れ等の加工をする事が出来るが、出来上がった状態で販売されている野球グローブにネーム入れ等をする事は不可能に近いぐらい困難である。しかし、個人のグローブにネーム入れなどをしたいと願う人は、多く居る。
【課題を解決するための手段】
【０００４】  裁断した革などの生地（１）にネーム（４）やデザイン（３）を加工し、この生地（１）に裏地（５）を付け、本体の両端に穴（６）と（７）を開ける。この穴（６）と（７）にグローブ（１０）で使用している革ヒモ（８）と（９）を通して結び、グローブ（１０）に装着する。【０００５】  本発明は、以上の構成より成るネームパーツである。
【発明の効果】
【０００６】  一般に製品で販売されている野球グローブに本体を使用する事により、簡単に刺繍や型押しで、ネームやデザインを施す事が出来る。
【発明を実施するための最良の形態】
【０００７】  以下、本発明の形態を説明する。【０００８】  裁断した革などの生地（１）にマーク（２）を刺繍し、その横の空白場所にデザイン（３）とネーム（４）を刺繍する。【０００９】  刺繍をした生地（１）に裏地（５）を付け、生地の両端に穴（６）（７）を開ける。【００１０】  グローブの手の甲にあたる箇所にネームパーツを上からかぶせ、ネームパーツの両端の穴にグローブ（１０）で使用している革ヒモ（８）（９）を通して結び、グローブ（１０）に装着する。【００１１】  本発明は、以上の構成より成る。
【実施例】
【００１２】  グローブの手の甲にあたる箇所を固定しているヒモを使い、刺繍をほどこしたネームパーツの片側の穴に通して結び、もう片方の穴にグローブの親指側で使用しているヒモを通して結びグローブに装着する。
【産業上の利用可能性】
【００１３】  ネームパーツへのネーム入れ等は、刺繍、型押し、レーザー加工、焼印、プリントなど容易に出来るので、加工方法を色々変えたり、また刺繍＋型押しといったような組合せで仕上げる事により、より一層デザイン性の向上につながる。【００１４】  また、チームごとにネームパーツをそろえ、それぞれの背番号も記入したりして楽しみを広げる事が出来る。
【図面の簡単な説明】
【００１５】
【図１】  本発明の単体でマークと文字とネームを加工した状態の斜視図。
【図２】  本発明の断面図。
【図３】  本発明をグローブに装着した状態の斜視図。
【符号の説明】
【００１６】（１）革などの生地  （２）マーク  （３）デザイン  （４）ネーム  （５）裏地  （６）本体左側穴  （７）本体右側穴  （８）グローブの革ヒモ左側  （９）グローブの革ヒモ右側  （１０）グローブ
【図１】
2010020265.tif 000003
【図２】
2010020265.tif 000004
【図３】
2010020265.tif 000005